(57)【要約】【課題】簡素な構成で、開閉部材によるコンバイナ出入口の開閉、およびコンバイナ出入口からのコンバイナの出し入れを行うことのできるヘッドアップディスプレイを提供すること。【解決手段】ヘッドアップディスプレイ１において、開閉機構６は、駆動源５の駆動力を開閉用第１スライダリンク機構６６および開閉用第２スライダリンク機構６７を介して開閉部材４の第１部材４１および第２部材４２に伝達し、コンバイナ出入口２０の開閉および表示光Ｌの光路の確保を行う。また、ヘッドアップディスプレイ１において、直線駆動機構７は、駆動源５の駆動力によってコンバイナ３を第１方向Ｙの一方側Ｙ１および他方側Ｙ２に直動させ、フレーム２内の待機位置Ｐ１とコンバイナ出入口２０から突出した出現位置Ｐ２との間で移動させる。【選択図】図１
2018012417.tif 000002
【特許請求の範囲】
【請求項１】
第１方向の一方側に向けて開口するコンバイナ出入口を備えたフレームと、
前記フレームの内側に配置されたコンバイナと、
前記コンバイナ出入口を塞ぐ開閉部材と、
駆動源と、
前記駆動源の駆動力によって前記開閉部材を駆動し、前記コンバイナ出入口を開閉するとともに、前記フレームの内部から外部に向かう光路を開閉する開閉機構と、
前記駆動源の駆動力によって前記コンバイナを前記第１方向の一方側および他方側に直動させて、前記コンバイナを前記コンバイナ出入口から突出した出現位置と前記コンバイナ出入口より内側に引っ込んだ待機位置との間で移動させる直線駆動機構と、
を有することを特徴とするヘッドアップディスプレイ。
【請求項２】
前記開閉部材は、前記光路を確保するための開口部が設けられた第１部材と、前記第１部材に回転可能に支持されて前記開口部を塞ぐ閉姿勢と前記開口部を開放した開姿勢とに切り換えられる第２部材と、を備え、
前記開閉機構は、前記第１部材によって前記コンバイナ出入口を閉状態とした際に前記第２部材を前記閉姿勢とし、前記第１部材によって前記コンバイナ出入口を開状態とした際に前記第２部材を前記開姿勢とすることを特徴とする請求項１に記載のヘッドアップディスプレイ。
【請求項３】
前記開閉機構は、前記第１部材によって前記コンバイナ出入口を開閉する開閉用第１スライダリンク機構と、前記第２部材によって前記開口部を開閉する開閉用第２スライダリンク機構と、を有することを特徴とする請求項２に記載のヘッドアップディスプレイ。
【請求項４】
前記直線駆動機構は、前記コンバイナを前記第１方向に案内するガイド機構を備えていることを特徴とする請求項１乃至３の何れか一項に記載のヘッドアップディスプレイ。
【請求項５】
前記直線駆動機構は、前記駆動源の駆動力を前記コンバイナに伝達する直動用スライダリンク機構を備えていることを特徴とする請求項４に記載のヘッドアップディスプレイ。
【請求項６】
前記駆動源は、双方向の回転を出力可能なモータであることを特徴とする請求項１乃至５の何れか一項に記載のヘッドアップディスプレイ。
【請求項７】
前記モータの回転を伝達するウォームおよびヘリカルギアを備え、
前記ヘリカルギアの回転が前記開閉機構および前記直線駆動機構に伝達されることを特徴とする請求項６に記載のヘッドアップディスプレイ。
【請求項８】
前記ヘリカルギアは、扇形歯車であることを特徴とする請求項７に記載のヘッドアップディスプレイ。
【発明の詳細な説明】
【技術分野】
【０００１】
本発明は、コンバイナを備えたヘッドアップディスプレイに関するものである。
【背景技術】
【０００２】
車両のインストルメントパネル等に設けられるヘッドアップディスプレイでは、照射装置から照射された車両情報やナビゲーション情報等の情報をコンバイナによって前方の景色と重畳して視認することができる。かかるヘッドアップディスプレイは、上方に向けて開口するコンバイナ出入口を備えたケース（フレーム）と、ケースの内側に配置されたコンバイナと、コンバイナ出入口を塞ぐシャッタ（開閉部材）とを有しており、シャッタ駆動ユニットによってシャッタを駆動してコンバイナ出入口を開閉するとともに、コンバイナ駆動ユニットによってコンバイナを駆動し、コンバイナをコンバイナ出入口から突出した出現位置とコンバイナ出入口より内側に引っ込んだ待機位置との間で移動させる（特許文献１参照）。
【先行技術文献】
【特許文献】
【０００３】
【特許文献１】特開２０１４−２０５３７６号公報
【発明の概要】
【発明が解決しようとする課題】
【０００４】
特許文献１に記載の構成では、シャッタ駆動ユニットとコンバイナ駆動ユニットとが各々、独立して設けられているため、各々に駆動モータ等の駆動源を設ける必要がある。このため、ヘッドアップディスプレイの小型化やコストダウンが困難である。
【０００５】
以上の問題点に鑑みて、本発明の課題は、簡素な構成で、コンバイナ出入口の開閉、およびコンバイナ出入口からのコンバイナの出し入れを行うことのできるヘッドアップディスプレイを提供することにある。
【課題を解決するための手段】
【０００６】
上記課題を解決するために、本発明に係るヘッドアップディスプレイは、第１方向の一方側に向けて開口するコンバイナ出入口を備えたフレームと、前記フレームの内側に配置されたコンバイナと、前記コンバイナ出入口を塞ぐ開閉部材と、駆動源と、前記駆動源の駆動力によって前記開閉部材を駆動し、前記コンバイナ出入口を開閉するとともに、前記フレームの内部から外部に向かう光路を開閉する開閉機構と、前記駆動源の駆動力によって前記コンバイナを前記第１方向の一方側および他方側に直動させて、前記コンバイナを前記コンバイナ出入口から突出した出現位置と前記コンバイナ出入口より内側に引っ込んだ待機位置との間で移動させる直線駆動機構と、を有することを特徴とする。
【０００７】
本発明では、開閉部材によるコンバイナ出入口の開閉、光路の確保、およびコンバイナの第１方向の移動を共通の駆動源によって行う。従って、簡素な構成で、上記の動作を行うことができる。
【０００８】
本発明において、前記開閉部材は、前記光路を確保するための開口部が設けられた第１部材と、前記第１部材に回転可能に支持されて前記開口部を塞ぐ閉姿勢と前記開口部を開放した開姿勢とに切り換えられる第２部材と、を備え、前記開閉機構は、前記第１部材によって前記コンバイナ出入口を閉状態とした際に前記第２部材を前記閉姿勢とし、前記第１部材によって前記コンバイナ出入口を開状態とした際に前記第２部材を前記開姿勢とす
る態様を採用することができる。かかる態様によれば、第１部材および第２部材の最小限に動きによって、コンバイナ出入口の開閉と光路の角度とを行うことができる。
【０００９】
本発明において、前記開閉機構は、前記第１部材によって前記コンバイナ出入口を開閉する開閉用第１スライダリンク機構と、前記第２部材によって前記開口部を開閉する開閉用第２スライダリンク機構と、を有する態様を採用することができる。
【００１０】
本発明において、前記直線駆動機構は、前記コンバイナを前記第１方向に案内するガイド機構を備えている態様を採用することができる。
【００１１】
本発明において、前記直線駆動機構は、前記駆動源の駆動力を前記コンバイナに伝達する直動用スライダリンク機構を備えている態様を採用することができる。
【００１２】
本発明において、前記駆動源は、双方向の回転を出力可能なモータである態様を採用することができる。
【００１３】
本発明において、前記モータの回転を伝達するウォームおよびヘリカルギアを備え、前記ヘリカルギアの回転が前記開閉機構および前記直線駆動機構に伝達される態様を採用することができる。かかる構成によれば、大きな減速比を得ることができるとともに、バックラッシュを低減することができる。
【００１４】
本発明において、前記ヘリカルギアは、扇形歯車である態様を採用することができる。かかる態様によれば、ヘリカルギアが占有するスペースを狭くすることができる。
【発明の効果】
【００１５】
本発明では、開閉部材によるコンバイナ出入口の開閉、光路の確保、およびコンバイナの第１方向の移動を共通の駆動源によって行う。従って、簡素な構成で、上記の動作を行うことができる。
【図面の簡単な説明】
【００１６】
【図１】本発明を適用したヘッドアップディスプレイを第２方向の他方側からみた斜視図である。
【図２】図１に示すヘッドアップディスプレイを第３方向の一方側からみた側面図である。
【図３】図１に示すヘッドアップディスプレイの開閉部材の説明図である。
【図４】図１に示すヘッドアップディスプレイにおいて、コンバイナおよび開閉部材を駆動する様子を示す説明図である。
【発明を実施するための形態】
【００１７】
図面を参照して、本発明を実施するための形態を説明する。なお、以下の説明においては、コンバイナ３の直動方向に沿う方向を第１方向Ｙとし、第１方向Ｙに交差する２方向を各々、第２方向Ｚおよび第３方向Ｘとする。また、第１方向Ｙの一方側にはＹ１を付し、他方側にはＹ２を付し、第２方向Ｚの一方側にはＺ１を付し、他方側にはＺ２を付し、第３方向Ｘの一方側にはＸ１を付し、他方側にはＸ２を付して説明する。以下に説明するヘッドアップディスプレイ１において、コンバイナ３は上下方向に移動する。このため、第１方向Ｙは上下方向であり、第１方向Ｙの一方側Ｙ１は上方向であり、他方側Ｙ２は下方向である。また、第２方向Ｚはコンバイナ３の前後方向であり、第３方向Ｘはコンバイナ３の幅方向（横方向）である。
【００１８】
（全体構成）
図１は、本発明を適用したヘッドアップディスプレイ１を第２方向Ｚの他方側Ｚ２からみた斜視図である、図２は、図１に示すヘッドアップディスプレイ１を第３方向Ｘの一方側Ｘ１からみた側面図である。なお、図１および図２では、コンバイナ３がフレーム２の内側の待機位置にある状態を示してある。
【００１９】
図１および図２に示すヘッドアップディスプレイ１は、第１方向Ｙ（上下方向）の一方側Ｙ１（上側）に向けて開口するコンバイナ出入口２０を備えたフレーム２と、フレーム２の内側の待機位置Ｐ１に配置されたコンバイナ３と、コンバイナ出入口２０等を塞ぐ開閉部材４とを有している。コンバイナ３は、第２方向Ｚに厚さ方向を向けた半透過反射性の板状部材であり、フレーム２は箱状である。フレーム２の内側には、投射型表示装置１１０が第１方向Ｙの一方側Ｙ１かつ第２方向Ｚの一方側Ｚ１に向けて斜めに固定されているとともに、フレーム２の第１方向Ｙの一方側Ｙ１かつ第２方向Ｚの一方側Ｚ１の壁面には、第２方向Ｚの他方側Ｚ２に向けてミラー１２０が固定されている。従って、コンバイナ３がコンバイナ出入口２０から第１方向Ｙの一方側Ｙ１の出現位置Ｐ２に突出した状態で、投射型表示装置１１０から表示光Ｌが出射されると、二点鎖線で示すように、表示光Ｌは、ミラー１２０で反射して、フレーム２の内側からコンバイナ３に照射される。従って、第２方向Ｚの一方側Ｚ１からコンバイナ３を見ると、投射型表示装置１１０から照射された表示光Ｌ（情報）とコンバイナ３の向こう側の景色と重畳して視認することができる。
【００２０】
上記の動作を行うために、ヘッドアップディスプレイ１は、図２に示すように、駆動源５と、駆動源５の駆動力によって、開閉部材４をフレーム２内に引き込んでコンバイナ出入口２０を開状態とするとともに、フレーム２の内側から出現位置Ｐ２のコンバイナ３に向かう表示光Ｌの光路を確保する開閉機構６とを有している。また、ヘッドアップディスプレイ１は、駆動源５の駆動力によって、コンバイナ３を第１方向Ｙの一方側Ｙ１および他方側Ｙ２に直動させて、コンバイナ３をコンバイナ出入口２０から突出した出現位置Ｐ２とコンバイナ出入口２０より内側に引っ込んだ待機位置Ｐ１との間で移動させる直線駆動機構７を有している。
【００２１】
駆動源５は、フレーム２に固定されたステッピングモータ等のモータ５０であり、モータ５０は双方向の回転を出力する。ヘッドアップディスプレイ１は、モータ５０の回転を伝達するウォーム５１およびヘリカルギア５２を備えており、ヘリカルギア５２の回転は、開閉機構６および直線駆動機構７に伝達される。ヘリカルギア５２は、フレーム２に固定された支軸５３周りに回転可能に支持された扇形歯車５２０であり、円弧の中心角は、約１００°である。扇形歯車５２０は、扇形の枠体として構成されており、２つの半径部（第１半径部５２１および第２半径部５２２）と、第１半径部５２１の径方向外側の端部と第２半径部５２２の径方向外側の端部とを繋ぐ円弧部５２３とを備えており、円弧部５２３の外周面にヘリカルギア５２が形成されている。
【００２２】
扇形歯車５２０は、駆動源５の回転を開閉機構６に出力する第１レバー５４と、駆動源５の回転を直線駆動機構７に出力する第２レバー５５とを有しており、第１レバー５４および第２レバー５５は、扇形歯車５２０の回転中心（支軸５３）の側から径方向外側に延在している。具体的には、第１レバー５４は、扇形歯車５２０の回転中心（支軸５３）から第２半径部５２２とは反対側に延在している。第２レバー５５は、扇形歯車５２０の回転中心（支軸５３）から第２半径部５２２に対して鋭角を成す方向に延在し、第１レバー５４と第２レバー５５とは、支軸５３を中心に約１５０°の角度をなしている。扇形歯車５２０には、第２レバー５５の先端部、第２半径部５２２の途中部分、第１半径部５２１の途中部分、および第１レバー５４の途中部分を円弧状に繋ぐ補強枠５６が設けられている。
【００２３】
（開閉部材３の構成）
図３は、図１に示すヘッドアップディスプレイ１の開閉部材４の説明図であり、図３（ａ）、（ｂ）、（ｃ）は各々、開閉部材４において開口部４１０を閉状態としたときの斜視図、開閉部材４の分解斜視図、および開閉部材４において開口部４１０を開状態としたときの斜視図ある。
【００２４】
図３に示すように、開閉部材４は、図１および図２に示す表示光Ｌの光路を確保するための開口部４１０が設けられた第１部材４１と、第１部材４１に回転可能に支持された第２部材４２とを備えており、第２部材４２は、開口部４１０を塞ぐ閉姿勢（図３（ａ）参照）と開口部４１０を開放した開姿勢（図３（ｃ）参照）とに切り換えられる。本形態において、第１部材４１は、四角形の板材の第３方向Ｘの中央に、第２方向Ｚの一方側Ｚ１の縁から他方側Ｚ２に向けて切り欠かれた四角形の開口部４１０が形成されている。従って、第１部材４１は、開口部４１０を挟んで第３方向Ｘで対向する位置に、第２方向Ｚの一方側Ｚ１に向けて突出した２つの支持板部４１１、４１２を有している。第２部材４２は、開口部４１０に嵌る遮蔽部４２０と、遮蔽部４２０の第２方向Ｚの一方側Ｚ１の端部で第３方向Ｘの両側に向けて突出した連結板部４２１とを有している。
【００２５】
第１部材４１の支持板部４１１、４１２の第２方向Ｚの一方側Ｚ１の端部の間には、第３方向Ｘに延在する支軸４３が設けられている一方、第２部材４２の遮蔽部４２０の第２方向Ｚの一方側Ｚ１の端部には、支軸４３が嵌る軸穴４２５が形成されている。従って、第２部材４２は、第１部材４１に対して、矢印Ｒ１１、Ｒ１２で示すように、支軸４３の軸線Ｌ４３周りに回転可能である。それ故、第２部材４２は、第１部材４１の開口部４１０を塞ぐ閉姿勢（図３（ａ）参照）と、第１部材４１の開口部４１０を開放する開姿勢（図３（ｃ）参照）とに切り換わる。
【００２６】
第１部材４１において、第２方向Ｚの途中位置には、第３方向Ｘの両側に向けて突出する丸棒状の凸部４１６が形成されている。また、支持板部４１１、４１２の第２方向Ｚの一方側Ｚ１の端部は、第１方向Ｙの他方側Ｙ２に屈曲した連結部４１７が形成されており、連結部４１７には、第３方向Ｘに向けて開口する軸穴４１８が形成されている。また、第２部材４２において連結板部４２１の第２方向Ｚの一方側Ｚ１の端部には、第３方向Ｘの両側に向けて突出する丸棒状の凸部４２９が形成されている。
【００２７】
（開閉機構６の構成）
再び図２において、開閉機構６では、第３方向Ｘの両側に、第１部材４１の凸部４１６を案内する第１ガイド溝６１０を構成する第１ガイド部材６１と、第１レバー５４の先端部に形成された軸穴５４０および第１部材４１の軸穴４１８の双方に嵌る支軸６２を備えた関節とによって、第１部材４１を駆動してコンバイナ出入口２０を開閉する開閉用第１スライダリンク機構６６が構成されている。第１ガイド溝６１０は、第１方向Ｙの他方側Ｙ２および第２方向Ｚの他方側Ｚ２に位置する地点を中心に湾曲した円弧形状を有している。
【００２８】
また、開閉機構６では、第３方向Ｘの両側に、第２部材４２の凸部４２９を案内する第２ガイド溝６３０を構成する第２ガイド部材６３と、支軸４３を備えた関節とによって、第２部材４２を駆動して開口部４１０を開閉する開閉用第２スライダリンク機構６７が構成されている。第２ガイド溝６３０は、第１方向Ｙの他方側Ｙ２および第２方向Ｚの他方側Ｚ２に位置する地点を中心に湾曲した略円弧形状を有しているとともに、第１方向Ｙの他方側Ｙ２の端部は、第２方向Ｚの一方側Ｚ１に向けて湾曲している。
【００２９】
（直線駆動機構の構成）
図１および図２に示すように、コンバイナ３は、第１方向Ｙの他方側Ｙ２の端部が、第
３方向Ｘに延在するホルダ３１に支持されている。直線駆動機構７は、第３方向Ｘの両側に、コンバイナ３を直立した姿勢のまま第１方向Ｙに案内するガイド機構７２を有しており、ガイド機構７２は、第１方向Ｙにガイド溝７２０が延在するガイド部材７２１からなる。ホルダ３１には、第３方向Ｘの両側から外側に向けて突出した第１軸部７０６と、第１軸部７０６より第１方向Ｙの他方側Ｙ２で第３方向Ｘの両側から外側に向けて突出した第２軸部７０７とが形成されている。第１軸部７０６の先端部には円筒状の第１ベアリング７０８が装着され、第２軸部７０７の先端部には円筒状の第２ベアリング７０９が装着されている。第１ベアリング７０８および第２ベアリング７０９は各々、ガイド溝７２０の内側に位置する。従って、コンバイナ３は、ホルダ３１を介してガイド機構７２（ガイド部材７２１のガイド溝７２０）によって第１方向Ｙに案内される。
【００３０】
直線駆動機構７は、第３方向Ｘの両側に、溝７５０が形成されたレバー７５を有しており、溝７５０には、支軸５３、および第２レバー７５の先端部から第３方向Ｘに突出する丸棒状の凸部５７が嵌っている。レバー７５の先端部には、第１軸部７０６が嵌る軸穴７５１が形成されており、第１軸部７０６と軸穴７５１とは軸線Ｌ７０６周りに回転可能な関節を構成している。従って、直線駆動機構７には、支軸５３および凸部５７が嵌った溝７５０と、第１軸部７０６および軸穴７５１からなる関節と、第１ベアリング７０８および第２ベアリング７０９が嵌ったガイド溝７２０を備えたスライド部とによって、ホルダ３１とともにコンバイナ３を第１方向Ｙに直線駆動する直動用スライダリンク機構７７が構成されている。
【００３１】
（動作）
図４は、図１に示すヘッドアップディスプレイ１において、コンバイナ３および開閉部材４を駆動する様子を示す説明図である。
【００３２】
本形態のヘッドアップディスプレイ１において、図４（ａ）に示す状態では、コンバイナ３がフレーム２内の待機位置Ｐ１にあって、開閉部材４は、フレーム２のコンバイナ出入口２０を塞ぐ閉状態にある。また、開閉部材４において、第２部材４２は、第１部材４１の開口部４１０を塞ぐ閉姿勢になっている。この状態から、モータ５０によってヘリカルギア５２を矢印Ｒ２１の方向に回転させると、図４（ｂ）、（ｃ）、（ｄ）に示すように、第１レバー５４および第２レバー５５が矢印Ｒ２１の方向に回転する。
【００３３】
従って、開閉機構６では、第１部材４１の凸部４１６が第１ガイド溝６１０に案内されながら、第１部材４１と第１レバー５４との関節（支軸６２）が支軸５３を中心に矢印Ｒ２１の方向に回転する。従って、第１部材４１は、第１方向Ｙの他方側Ｙ２かつ第２方向Ｚの一方側Ｚ１に移動する。その結果、第１部材４１がフレーム２の内側に引き込まれ、コンバイナ出入口２０が開状態となる。
【００３４】
その間、開閉機構６では、第２部材４２の凸部４２９が第２ガイド溝６３０に案内されながら、第１部材４１と第２部材４２との関節（支軸４３）が支軸５３を中心に矢印Ｒ２１の方向に回転する。従って、第２部材４２は、第１部材４１とともに第１方向Ｙの他方側Ｙ２かつ第２方向Ｚの一方側Ｚ１に移動し、フレーム２の内側に引き込まれる。また、第２部材４２は、第１部材４１に対して支軸４３の軸線Ｌ４３周りに矢印Ｒ１２の方向に相対的に回転した後（図４（ｂ）参照）、矢印Ｒ１１の方向に相対的に回転する（図４（ｃ）参照）。その結果、開口部４１０がわずかに開状態となる。
【００３５】
そして、第２部材４２が、第１部材４１に対して関節（支軸４３）の軸線Ｌ４３周りに矢印Ｒ１１の方向にさらに回転し、第１部材４１の開口部４１０は開状態となる。
【００３６】
その間、直線駆動機構７では、レバー７５が支軸５３を中心に矢印Ｒ２１の方向に回転
し、第１ベアリング７０８および第２ベアリング７０９は、ガイド溝７２０に案内されながら第１方向Ｙの一方側Ｙ１に移動する。従って、ホルダ３１が第１方向Ｙの一方側Ｙ１に直動するので、コンバイナ３は、待機位置Ｐ１から第１方向Ｙの一方側Ｙ１に直動し、フレーム２のコンバイナ出入口２０から第１方向Ｙの一方側Ｙ１に突出し、出現位置Ｐ２に到達する。
【００３７】
従って、図１および図２に示すように、フレーム２の内側で投射型表示装置１１０からミラー１２０に向かう表示光Ｌの光路が確保されるとともに、フレーム２内のミラー１２０からコンバイナ３に向かう表示光Ｌの光路が確保される。それ故、投射型表示装置１１０から表示光Ｌ（表示光）が出射されると、二点鎖線で示すように、表示光Ｌは、ミラー１２０で反射して、フレーム２の内側からコンバイナ３に照射される。従って、第２方向Ｚの一方側Ｚ１からコンバイナ３を見ると、投射型表示装置１１０から照射された表示光（情報）とコンバイナ３の向こう側の景色と重畳して視認することができる。
【００３８】
そして、図４（ｄ）に示す状態から、モータ５０が逆回転して、ヘリカルギア５２が支軸５３を中心に矢印Ｒ２２の方向に回転すると、上記と逆の動作が行われ、図４（ａ）に示すように、コンバイナ３がフレーム２内の待機位置に戻り、開閉部材４が閉位置に戻る。
【００３９】
（本形態の主な効果）
以上説明したように、本形態のヘッドアップディスプレイ１においては、開閉部材４によるコンバイナ出入口２０の開閉、光路の確保、およびコンバイナ３の第１方向Ｙの移動を共通の駆動源５（モータ５０）によって行う。従って、簡素な構成で、上記の動作を行うことができる。
【００４０】
また、開閉部材４は、光路を確保するための開口部４１０が設けられた第１部材４１と、第１部材４１に回転可能に支持されて開口部４１０を塞ぐ閉姿勢と開口部４１０を開放した開姿勢とに切り換えられる第２部材４２と、を備えているため、第１部材４１および第２部材４２の最小限に動きによって、コンバイナ出入口２０の開閉と開口部４１０の開閉とを行うことができる。
【００４１】
また、モータ５０の回転がウォーム５１およびヘリカルギア５２によって開閉機構６および直線駆動機構７に伝達されるため、大きな減速比を得ることができるとともに、バックラッシュを低減することができる。また、ヘリカルギア５２が扇形歯車５２０であるため、ヘリカルギア５２が占有するスペースを狭くすることができる。
【符号の説明】
【００４２】
１…ヘッドアップディスプレイ、２…フレーム、３…コンバイナ、４…開閉部材、５…駆動源、６…開閉機構、７…直線駆動機構、２０…コンバイナ出入口、３１…ホルダ、４１…第１部材、４２…第２部材、５０…モータ、５１…ウォーム、５２…ヘリカルギア、５４…第１レバー、５５…第２レバー、６１…第１ガイド部材、６３…第２ガイド部材、６６…開閉用第１スライダリンク機構、６７…開閉用第２スライダリンク機構、７２…ガイド機構、７５…レバー、７７…直動用スライダリンク機構、１１０…投射型表示装置、１２０…ミラー、４１０…開口部、４２０…遮蔽部、５２０…扇形歯車、６１０…第１ガイド溝、６３０…第２ガイド溝、７０６…第１軸部、７０７…第２軸部、７０８…第１ベアリング、７０９…第２ベアリング、７２０…ガイド溝、７２１…ガイド部材、Ｌ…表示光、Ｐ１…待機位置、Ｐ２…出現位置、Ｘ…第３方向、Ｙ…第１方向、Ｚ…第２方向
【図１】
2018012417.tif 000003
【図２】
2018012417.tif 000004
【図３】
2018012417.tif 000005
【図４】
2018012417.tif 000006